(57)【特許請求の範囲】
【請求項１】
毛先がテーパー加工された合成樹脂製のフィラメントを少なくとも長手方向に沿って1列に起立し、かつ、隣り合うフィラメントが離隔してなるブラシ部と、そのブラシ部を挿入することによって固定する支持体で構成されているマスカラ用ブラシにおいて、前記フィラメントのテーパー先端部から１．０ｍｍ、２．０ｍｍ、３．０ｍｍの各部位におけるフィラメント径が基部のフィラメント径に対し、２０〜５５％、４５〜８５％、６０〜１００％で、それぞれ特定されるテーパー形状のフィラメントを配置すると共に、その隣り合うフィラメントのピッチの幅を０．２０〜０．４０ｍｍにしたことを特徴とするマスカラ用ブラシ。
【請求項２】
前記ブラシ部のフィラメントの基部の径が０．１２〜０．２２ｍｍである請求項1記載のマスカラ用ブラシ。
【請求項３】
前記ブラシ部のフィラメントの長さがブラシ部の支持体から３．０〜７．０ｍｍである請求項１、或いは、請求項２に記載のマスカラ用ブラシ。
【発明の詳細な説明】
【技術分野】
【０００１】
本発明は、毛先がテーパー加工された合成樹脂製のフィラメントを少なくとも長手方向に沿って1列に起立し、かつ、隣り合うフィラメントが離隔してなるブラシ部と、そのブラシ部を固定する支持体で構成されているマスカラ用ブラシに関し、特に、塗布時の塗布液の供給が良好で、睫毛をお互いに固着させることなく、均一にマスカラを塗布することができるマスカラ用ブラシに関するものである。
【背景技術】
【０００２】
睫毛にマスカラ液を塗布するブラシ部は、一般的に、複数本の針金をねじり合わせたワイヤー状の支持体上に配置され、固定されている。そして、そのブラシ部は、リング状、又は、つる巻線状を形成するようにして、前記支持体に複数、放射状に固定される。尚、各ブラシ部の端部により形成される外接円形は、円筒形や円筒円すい形、又は円すい形の形状をなしている。前記ブラシ部が固定された支持体は、一般的に、ブラシ部を容易に操作できるよう容器内に配置されている。
【０００３】
この種のマスカラ用ブラシは、マスカラ液を保存容器から使用者の睫毛に移送するために、良好な保液（搬送）特性を有する必要がある。一方、移送されたマスカラ液を睫毛に、大量に転移させてしまうといった問題も発生している。所謂、べた塗りの発生や、部分的に発生する滴状の塊である。その結果、隣接する睫毛がお互いにくっつき会ってしまい、連続したマスカラ化粧作業ができなくなり、強いては、良好な仕上りが望めない場合が生じてきてしまっていた。
【０００４】
そこで、こうした不具合を改善するために、断面積が大きい密集したブラシ部と相対的に断面積が小さなブラシ部とを混在させたものや、断面積が小さいブラシ部を櫛状にしたものを混在させたマスカラ用ブラシが提案されている。
【特許文献１】特開平２００３―２６５２３５号公報。
【特許文献２】特開平２００３−１４４２２６号公報。
【発明の開示】
【発明が解決しようとする課題】
【０００５】
しかしながら、前記の構成にあっては、２種類のブラシ部の配列如何によっては、放射状に配置したブラシ部の長さにばらつきが発生してしまい、ある部分では短いブラシ部が集中し、ある部分では長いブラシ部毛が集中する結果となり、不均一な外形を有するまだらなブラシとなってしまっていた。そのため、マスカラ液の各ブラシ部に対する付着が不均一なものとなり、ある部分ではたっぷりと保液されるが、他の部分では保液が少なく、睫毛に均一に塗布することが困難になってしまっていた。又、この問題を解決すべく、２種類のブラシ部の配列・組み付けを時間をかけて精密に行っても良いが、面倒で手間と時間がかかるため現実的ではない。
【課題を解決するための手段】
【０００６】
本発明は、毛先がテーパー加工された合成樹脂製のフィラメントを少なくとも長手方向に沿って1列に起立し、かつ、隣り合うフィラメントが離隔してなるブラシ部と、そのブラシ部を挿入することによって固定する支持体で構成されているマスカラ用ブラシにおいて、前記フィラメントのテーパー先端部から１．０ｍｍ、２．０ｍｍ、３．０ｍｍの各部位におけるフィラメント径が基部のフィラメント径に対し、２０〜５５％、４５〜８５％、６０〜１００％で、それぞれ特定されるテーパー形状のフィラメントを配置すると共に、その隣り合うフィラメントのピッチの幅を０．２０〜０．４０ｍｍにすることによって、上記問題を解決するものであり、塗布時の供給が良好で、睫毛をお互いに固着させることなく、均一にマスカラ液を塗布することができるマスカラ用ブラシを提供する。
【発明の効果】
【０００７】
本発明は、毛先がテーパー加工された合成樹脂製のフィラメントを少なくとも長手方向に沿って1列に起立し、かつ、隣り合うフィラメントが離隔してなるブラシ部と、そのブラシ部を挿入することによって固定する支持体で構成されているマスカラ用ブラシにおいて、前記フィラメントのテーパー先端部から１．０ｍｍ、２．０ｍｍ、３．０ｍｍの各部位におけるフィラメント径が基部のフィラメント径に対し、２０〜５５％、４５〜８５％、６０〜１００％で、それぞれ特定されるテーパー形状のフィラメントを配置すると共に、その隣り合うフィラメントのピッチの幅を０．２０〜０．４０ｍｍにしたので、各フィラメントのテーパー部が睫毛に入り込み、余分なマスカラ液を排除してくれるので、睫毛を固着させることなく、均一に仕上げるので、全体として、塗布時の塗布液の供給が良好で、睫毛をお互いに固着させることなく、均一にマスカラ液を塗布することができるため、安定したマスカラ液の塗布作業が得られる。
【発明を実施するための最良の形態】
【０００８】
以下、本発明の実施例を図１を参照して説明する。図１は本発明によるマスカラ用ブラシに適用した1例を示している。参照符号１は摘みであり、２はその摘み１と一体の軸、３はその軸２の前方に連結された塗布ブラシ部である。前記塗布ブラシ部３は、一定のピッチで長手方向に一列に一定長さで、お互いに離隔した接触していないフィラメント７で形成されたブラシ部４と、そのブラシ部４を固定する支持体５と、凹凸形成されたジャバラ状の塗布液保持体６から構成されており、塗布ブラシ３の後端部が前記軸２に圧入されている。又、ブラシ部４のフィラメント７の長さは、一定長さであっても、お互いに異なる長さを有しても良い。例えば、端部が湾曲したフィラメントを適宜配置しても良い。
【０００９】
本例においては、マスカラ液の入った保存容器から、マスカラ用ブラシを取り出して、最初にジャバラ状の塗布液保持体６に保持されたマスカラ液をたっぷりと睫毛に塗布し、次いで、ブラシ部４で睫毛よりはみ出した余分なマスカラ液を排除し、固着した睫毛を切り離して均一に整えることのできる構造である。
【００１０】
前記ブラシ部４の各フィラメント７は、お互いが接触しないように離隔された状態で配置されているが、その間隔は等間隔であっても良いし、異なった間隔で配置されていても良い。尚、隣り合うフィラメントのピッチの幅としては、０．２０〜０．４０ｍｍが好ましい。
【００１１】
ここで、ブラシ部４に使用する材質としては、ポリアミド(６，６−ナイロン、６−ナイロン、１２−ナイロン、６，１０−ナイロン、６，１２ナイロンなど)ポリエステル(ポリエチレンテレフタレート、ポリブチレンテレフタレート)などを用いることができるが、各フィラメントの材質は同一であっても良いし、異なっていても良い。
尚、ブラシ部４に使用するフィラメントは、断面が異形形状のものも使用することができる。その断面異形形状とは、フィラメントの軸方向に垂直な面の形状が円形以外のもの、例えば、四角形や五角形、星形や「＋」形、楕円形などである。
【００１２】
前記合成樹脂製のフィラメントの先端をテーパー化したフィラメントとなすには、処理液による方法が好ましく、具体的一例としては、ポリアミドに対してメタクレゾールと塩化カルシウムーメタノール溶液との混和液、ポリエステルに対して水酸化ナトリウムなどの組み合わせが挙げられる。但し、必ずしもこの方法に限定されるものではなく、例えば、合成樹脂製のフィラメントに熱延伸を与えてテーパー状に引き伸ばしたり、グラインダー研磨などで機械的にテーパー化するなど他の方法を採用しても良い。
【００１３】
前記フィラメント７のテーパー先端部から１．０ｍｍ、２．０ｍｍ、３．０ｍｍの各部位におけるフィラメント径が基部のフィラメント径に対し、２０〜５５％、４５〜８５％、６０〜１００％で、それぞれ特定されるテーパー形状のフィラメント７を使用する目的は、塗布時の睫毛からはみ出した余分なマスカラ液を整えてくれるので安定した線を描けると共に、睫毛を固着させることなく、均一にマスカラ液を塗布するために使用するものである。又、各フィラメント７のテーパー部の太さが上記寸法に満たないと、マスカラ液は非常に粘度が高く、使用時にマスカラ液の荷重でテーパー部の先端が曲がったりして、操作しにくいことやテーパー部の先端が使用頻度によって経時的に耐久性が弱くなるからであり、又、各フィラメント７のテーパー部の太さが上記寸法を超えると、ブラシ部４の弾性が強すぎて、使用感がハードになったり、細部の操作がしにくいからである。
又、そのフィラメント７の基部の繊維径は、０．１２〜０．２２ｍｍ程度が好ましい。フィラメント７の基部の繊維径が０．１２ｍｍに満たないと塗布時にフィラメント７の先端がマスカラの荷重で曲がったり、柔らかすぎて腰砕けして使用感が悪くなるからである。又、フィラメント７の基部の繊維径が０．２２ｍｍを超えると塗布時のタッチがハードになり、細部の塗布作業がしにくくなるからである。又、ブラシ部４の長さは、そのブラシ部４の支持体５から３．０〜７．０ｍｍが好ましい。ブラシ部４の全長が３．０ｍｍに満たないと睫毛の奥までフィラメントが届かず、綺麗な仕上がりになりにくいことや全長が短すぎて、先端のしなりがなくなり、使用感がハードになるからである。又、ブラシ部４の全長が７．０ｍｍを超えるとフィラメントが長すぎて目に当たったり、フィラメントの先端が曲がりやすく均一な仕上がりにならないからである。
【００１４】
本例のブラシ部４を製造するに当たっては、毛先がテーパー加工されたフィラメント７を少なくとも長手方向に沿って１列に起立させ、かつ、隣り合うフィラメントが離隔したものを支持体５に溶着や接着、又は、植毛などの手段によって固着しブラシ部４を構成する。ここで、前述もしたように、前記フィラメント７は、そのフィラメントの先端部から１．０ｍｍ、２．０ｍｍ、３．０ｍｍの各部位におけるフィラメント径が基部のフィラメント径に対して２０〜５５％、４５〜８５％、６０〜１００％で、それぞれ特定されるテーパー形状であることが好ましい。しかし、テーパー先端部から３．０ｍｍ以降は、テーパー状であっても、同一太さであっても良い。
【００１５】
（実施例）
図２(ａ)において、フィラメント７の先端部から１．０ｍｍ、２．０ｍｍ、３．０ｍｍの各部位におけるテーパー太さが２０〜５５％、４５〜８５％、６０〜１００％で、特定される形状のフィラメント７を所定の長さに裁断して、そのフィラメント７を先端に寄せてから、所定の治具を使用し、各フィラメントが各フィラメント全体内でお互いに等しい間隔に配列された各フィラメントの後端部を溶着して連結させブラシ部４を形成したものである。
【００１６】
図２（ｂ）に示すように、前記のブラシ部４を支持体５の中に入れ、仮固定している。
図２(ｃ)に示すように、ブラシ部４を支持体５に挿入した前記のものに、凹凸を形成したジャバラ状の塗布液保持体６を仮セットし、前記支持体５とジャバラ状の塗布液保持体６を長手方向に接触している部分をレーザー溶着にて固定し、マスカラ用ブラシを形成した。
このブラシ部４は、フィラメント７の先端部から１．０ｍｍ、２．０ｍｍ、３．０ｍｍの各部位におけるフィラメント径が基部のフィラメント径に対し、２０〜５５％、４５〜８５％、６０〜１００％で、特定されるテーパー形状のフィラメント７を用いるが、他の条件（ブラシ部のフィラメントテーパー太さ・フィラメント径・ブラシの支持体からの長さ）を表１に示すと共に、実施例1〜１５、並びに、比較例１６〜４２とした。
【００１７】
【表１】
0004846323.tif 000002
【００１８】
上記実施例１〜１５、並びに、比較例１６〜４２のブラシ部を用いて、図１に示すマスカラ用ブラシを形成し、塗布試験を行った。
【００１９】
塗布試験(モニター調査)
方法：任意に抽出したモニターに、実際にマスカラ用ブラシを使用してもらい、使用性についてのモニター調査を実施した。
【００２０】
【表２】
0004846323.tif 000003
【００２１】
以上の例においては、長さが一定の各フィラメントを使用したブラシ部を挙げ説明したが、図４に示すように各フィラメントの長さを異ならしめても良い。図４（ａ）に示す例は、ブラシ部の中央部分に位置するフィラメントの長さを他の部分よりも短くした例であり、図４（ｂ）に示す例は、ブラシ部の中央部分に位置するフィラメントの長さを他の部分よりも長くした例であるが、これに捕らわれることなく、例えば、フィラメントの短い領域と長い領域を交互に複数形成したブラシ部としても良い。
【図面の簡単な説明】
【００２２】
【図１】本発明に係わるマスカラ用ブラシの概略の側面図。
【図２】（ａ）フィラメントを同一ピッチで後端部を熱溶着した側面図。  （ｂ）ブラシ部を支持体に仮セットした側面図。  （ｃ）塗布保持体をレーザー溶着で固定した側面図。
【図３】本発明に係わるフィラメントの拡大図。
【図４】（ａ）ブラシ部の変形例を示す側面図。  （ｂ）ブラシ部の変形例を示す側面図。
【符号の説明】
【００２３】
１    摘み
２    摘み1と一体の軸
３    塗布ブラシ部
４    ブラシ部
５    支持体
６    ジャバラ状の塗布液保持体
７    フィラメントの拡大図
【図１】
0004846323.tif 000004
【図２】
0004846323.tif 000005
【図３】
0004846323.tif 000006
【図４】
0004846323.tif 000007